(57)【要約】【課題】従来の携帯端末著作権保護システムを維持しながら、携帯端末で購入したコンテンツをＰＣなどの他の端末でもより高品質なコンテンツを利用することを可能にする。【解決手段】携帯端末がブロードバンドを接続しているＰＣ端末など高再生機器との接続することによって携帯端末で購入した著作権コンテンツに関する情報がＰＣ端末に取得され、ブロードバンドを介してコンテンツ配信サーバに転送され、コンテンツ配信サーバは転送された情報の元により高品質なコンテンツを選別し、ＰＣ端末に配信して再生する。【選択図】図１
2009087108.tif 000002
【特許請求の範囲】
【請求項１】
携帯端末と、
ＰＣ端末と、
前記携帯端末とＰＣ端末で各々利用されるコンテンツを配信するコンテンツ配信サーバと、
が相互通信可能に接続されるコンテンツ配信システムであって、
前記ＰＣ端末が前期コンテンツ配信サーバからコンテンツをダウンロードする場合、前期ＰＣ端末は前記携帯端末と接続し、前記携帯端末に保存されているコンテンツＩＤ情報を取得し、高速なブロードバンドネットワークを介し、取得した前記コンテンツＩＤ情報を前記コンテンツ配信サーバに送信し、前記コンテンツ配信サーバに所有するコンテンツと比較し、より高品質な動画像などのコンテンツがあれば、それを前記ＰＣ端末に配信する
ことを特徴とするコンテンツ配信システム。
【請求項２】
請求項１のシステムにおいて、
携帯端末で視聴した続きをＰＣ端末で視聴したい場合に、
携帯端末でコンテンツを視聴した部分をマークし、マークされた情報をコンテンツ使用情報として前記携帯端末に保存し、前記携帯端末が前記ＰＣ端末と接続された場合に、コンテンツＩＤ情報と共に前記コンテンツ使用情報を前記携帯端末から取得し、前記ＰＣ端末からコンテンツ配信サーバに送信し、前記コンテンツ配信サーバが前記マークされた部分以降の高品質なコンテンツを前記ＰＣ端末に配信する
ことを特徴とするコンテンツ判定使用方法。
【請求項３】
請求項１と２のシステムにおいて、
コンテンツ配信サーバでは、ＰＣ端末へ配信するコンテンツを暗号化し、復号鍵を生成し、暗号化したコンテンツはブロードバンドネットワークを介して前記ＰＣ端末に送信され、復号鍵は無線ネットワークを介して携帯端末に送信され、
前記ＰＣ端末が前記携帯端末から前記復号鍵を取得し、復号鍵を元に暗号化されたコンテンツを復号化し、再生可能にする
ことを特徴とするコンテンツ暗号化、復号化方法。
【請求項４】
請求項１のシステムにおいて、
コンテンツ配信サーバからＰＣ端末にコンテンツを配信している間に前記ＰＣ端末と前記携帯端末の接続が切断される場合、前記ＰＣ端末がコンテンツ配信サーバにコンテンツ配信中止メッセージを送信し、前記ＰＣ端末に保存されているコンテンツと復号鍵を削除する手段を有する
ことを特徴とするコンテンツ配信中断対応方法。
【請求項５】
請求項１のシステムにおいて、
コンテンツ配信サーバからＰＣ端末へのコンテンツ配信が終了する場合、前記ＰＣ端末が前記コンテンツ配信サーバからコンテンツ配信終了メッセージを受け、前記ＰＣ端末に保存されているコンテンツと復号鍵を削除する手段を有する
ことを特徴とするコンテンツ配信終了方法。
【発明の詳細な説明】
【技術分野】
【０００１】
本発明は、携帯端末で購入した著作権コンテンツを携帯端末で保存、使用すると同時に、ブロードバンドネットワークを利用可能なＰＣ端末において、より高品質なコンテンツを使用可能とするコンテンツ配信システムに関するものである。
【背景技術】
【０００２】
現在、携帯電話やＰＤＡ等の携帯端末において、ネットワーク上の音楽、画像、動画、ゲーム、漫画など様々なコンテンツをダウンロードし、携帯端末で利用する例が増加している。この中には著作権コンテンツが多く存在し、他の保存領域への移動が制限されている。
【０００３】
従来の技術では、携帯端末でダウンロードしてきたコンテンツをＰＣ端末で利用したい場合、同じ利用者であるにも関わらず、著作権コンテンツをＰＣ端末に移動しても再生できない問題がある。更に、携帯端末の容量や無線ネットワークの通信速度などの制限を受けてダウンロードした携帯端末用コンテンツは表示サイズも小さく、解像度も低いため、ＰＣ端末へ移動できたとしても満足のいく視聴ができない。
【０００４】
通信速度も速いブロードバンドネットワークを介して大容量、高品質なデータをダウンロード可能なＰＣ端末で同一コンテンツを視聴する場合、ＰＣ端末用コンテンツを再購入しなければならず、ユーザの利便性を損ねてしまう。
【０００５】
【特許文献１】特開２００５−１４１９２５号公報
【特許文献２】特開２００３−３０３１３７号公報
【発明の開示】
【発明が解決しようとする課題】
【０００６】
従来の技術では、認証手段としてアカウント及びパスワードを使用しており、このアカウントおよびパスワードを各自が入力してコンテンツ配信サーバに認証を行うことで、その媒体を特定することがなく購入したコンテンツをダウンロード、使用することができた。
【０００７】
従って、著作権を保護しなければならない、写真、画像等コンテンツの不法なコピーが自由に行え、著作権の保護が困難な状況にあるという不具合があった。
【０００８】
また、著作権を保護するための携帯端末向けコンテンツ配信システムにおいては、購入者が使用するかどうかではなく使用端末に対して制限を受けるため、他の端末による利用が不可能となり、コンテンツを購入したユーザに対してコンテンツ使用の利便性が悪くなった。
【０００９】
本発明は、従来の携帯端末著作権保護システムを維持しながら、携帯端末で購入したコンテンツをＰＣなどの他の端末でも利用することを可能にし、さらにＰＣ端末の高処理機能ＣＰＵ、大画面、高速通信などの特徴を活かし、携帯端末コンテンツより解像度の高い高品質なコンテンツを提供することを目的とする。
【課題を解決するための手段】
【００１０】
上記課題を達成するために、本発明の図１に表すようなコンテンツ配信システムを提供する。コンテンツ配信システムは、
無線ネットワークを利用できる携帯端末と、
ブロードバンドネットワークを利用できるＰＣ端末と、
前記携帯端末と前記ＰＣ端末に各々コンテンツを配信するコンテンツ配信サーバと
が相互通信可能に接続される。
【００１１】
本発明の請求項１に記載の発明は、配信コンテンツを判定する方法であって、ＰＣ端末が携帯端末と接続されることによって前記携帯端末に保存されているコンテンツＩＤ情報を取得し、それを前記コンテンツ配信サーバに送信し、コンテンツ配信サーバでは、所有するコンテンツと比較し、携帯端末のコンテンツより高品質なコンテンツなどがあれば、ＰＣ端末向けの配信コンテンツとして選択することを特徴とする。
【００１２】
本発明の請求項２に記載の発明は、配信コンテンツの視聴した続き部分を抽出する方法であって、選択された配信コンテンツに対してコンテンツ配信サーバは前記携帯端末から取得したコンテンツ使用情報を利用し、前記携帯端末でマークされた視聴したい部分を抽出することを特徴とする。
【００１３】
本発明の請求項３に記載の発明は、暗号化と復号化をする方法であって、請求項１、請求項２に記載の方法から選択したコンテンツを暗号化して生成した復号鍵が無線ネットワークを介して携帯端末に送信され、暗号化したコンテンツがブロードバンドネットワークを介してＰＣ端末に配信され、前記ＰＣ端末において、前記携帯端末から復号鍵を取得し、前記コンテンツ配信サーバから送信された暗号化コンテンツを復号化し、再生することを特徴とする。
【００１４】
本発明の請求項４に記載の発明は、コンテンツ配信中断対応方法であって、携帯端末は必ずＰＣ端末と接続されていることを監視し、その接続が切断された場合、前記ＰＣ端末に保存されているコンテンツと復号鍵を削除することを特徴とする。
【００１５】
本発明の請求項５に記載の発明は、コンテンツ配信終了方法であって、ＰＣ端末がコンテンツ配信サーバからコンテンツ配信終了メッセージを受け、前記ＰＣ端末に保存されているコンテンツと復号鍵を削除することを特徴とする。
【００１６】
ネットワークと受信端末を識別し、各種コンテンツを配信するコンテンツ配信サーバは、
（ａ）ＰＣ端末からユーザ認証情報、携帯端末認証情報、コンテンツＩＤ情報を取得し、認証照合を行う認証部と、
（ｂ）コンテンツＩＤ情報、コンテンツ使用情報を取得し、前記ＰＣ端末に配信するコンテンツを判定し、判定結果リストを前記ＰＣ端末に出力するコンテンツ判定部と、
（ｃ）ユーザに選択されたコンテンツを配信コンテンツ保存部から抽出制御を行い、暗号化し、前記ＰＣ端末に配信と制御するコンテンツ配信部と、
（ｄ）配信用コンテンツを保存する配信コンテンツ保存部と、
（ｅ）前記ユーザ認証情報、前記携帯端末認証情報、前記コンテンツＩＤ情報を保存するユーザ認証テーブルと、
（ｆ）ネットワークと接続する通信インターフェイスと、
（ｇ）処理と計算機能を持つＣＰＵと、
を備える。
【００１７】
ブロードバンドを介してより高品質なコンテンツを受信し利用するＰＣ端末は、
（ａ）コンテンツ配信サーバに認証照合を行う為に携帯端末からユーザ認証情報、携帯端末認証情報、コンテンツＩＤ情報を取得し、ブロードバンドネットワークを介して前記コンテンツ配信サーバに送信する認証情報送信部と、
（ｂ）前記コンテンツ配信サーバに配信コンテンツの視聴した続き部分を抽出する為に前記携帯端末からコンテンツ使用情報を取得し、ブロードバンドネットワークを介して前記コンテンツ配信サーバに送信する判定情報送信部と、
（ｃ）前記コンテンツ配信サーバから送信され、暗号化したコンテンツを一時保存し、前記携帯端末から復号鍵を取得し、暗号化したコンテンツを復号化して再生するコンテンツ受信部と、
（ｄ）前記携帯端末と接続している状況を監視し、その接続が切断された場合に直ちに前記コンテンツ配信サーバにコンテンツ配信中止要求メッセージを送信し、コンテンツ保存部にコンテンツ削除メッセージ、復号処理部に復号鍵を削除メッセージを送信する接続監視部と、
（ｅ）前記携帯端末と接続する外部インターフェイスと、
（ｆ）ブロードバンドと接続する通信インターフェイスと、
（ｇ）処理と計算機能を持つＣＰＵと、
を備える。
【００１８】
無線ネットワークを介して圧縮したコンテンツを購入、ダウンロード、使用する携帯端末は、
（ａ）購入、ダウンロードしたコンテンツを保存するコンテンツ保存部と、
（ｂ）コンテンツ配信サーバから送信された復号鍵を保存する復号鍵保存部と、
（ｃ）コンテンツ使用する場合にマークした情報を保存するコンテンツ使用情報保存部と、
（ｄ）ＰＣ端末と接続する外部インターフェイスと、
（ｅ）無線ネットワークと接続する通信インターフェイスと、
（ｆ）処理と計算機能を持つＣＰＵと、
を備える。
【発明の効果】
【００１９】
本発明は、コンテンツ配信サーバのコンテンツに対する判別、制御、暗号化などの機能によって携帯端末で購入したコンテンツのＰＣ端末での使用を可能とし、さらに携帯端末のコンテンツより大画面、高品質なコンテンツの提供を可能とし、携帯端末しか持っていない利用者に対しては、インターネットカフェなどブロードバンド環境においてＰＣ端末を利用した高画質なコンテンツを視聴できるという効果がある。
【発明を実施するための最良の形態】
【００２０】
以下、本発明の実施の形態を、図面を参照して説明する。以下の説明で参照する各図において、同一の構成要素は同一の符号によって示されている。
【００２１】
図１は、本発明の一実施例のコンテンツ配信システムを示す構成図である。
コンテンツ配信システム１は、通信ケーブル５００に接続されお互いに通信することが可能な携帯端末２００、ＰＣ端末３００及びネットワーク４００を介して携帯端末２００、ＰＣ端末３００に通信することが可能なコンテンツ配信サーバ１００を含む。
【００２２】
コンテンツ配信サーバ１００は、メモリ１１０、配信コンテンツ保存部１４０、ＣＰＵ１５０、通信インターフェイス１６０、ユーザ認証テープル１７０とを備えている。
【００２３】
メモリ１１０にはコンテンツの利用が許可されているユーザかどうかを判断する認証部１１１と、どのコンテンツをどの部分から配信するかを判断するコンテンツ判定部１２０と、配信コンテンツの抽出、暗号化、配信を制御するコンテンツ配信部１３０とを有する。
【００２４】
コンテンツ判定部１２０には、判定に必要なコンテンツＩＤ４４０とコンテンツ使用情報７００を取得する情報取得部１２１と、どのコンテンツをどの部分から配信するかを判断する判定部１２２と、判定結果をＰＣ端末３００に表示させる結果表示部１２３とを有する。
【００２５】
コンテンツ配信部１３０には、選択されたコンテンツの視聴したい部分を配信コンテンツ保存部１４０から抽出する抽出処理部１３１と、抽出したコンテンツの暗号化を行う暗号処理部１３２と、暗号化されたコンテンツをＰＣ端末３００に配信する配信処理部１３３とを有する。
【００２６】
ユーザ認証テーブル１７０は、図７に示す認証情報である顧客名４１０、携帯番号４２０、シリアル番号４３０、コンテンツＩＤ４４０とを有する。
【００２７】
携帯端末２００は、無線通信インターフェイス２１０、メモリ２２０、ＣＰＵ２３０、外部インターフェイス２４０とを備えている。
【００２８】
メモリ２２０の中には、ネットワーク４００と無線インターフェイス２１０を介してコンテンツ配信サーバ１００から購入したコンテンツ及びコンテンツＩＤ４４０を保存するコンテンツ保存部２２１と、ネットワーク４００と無線インターフェイス２１０を介してコンテンツ配信サーバ１００にある配信処理部１３３から送信された復号鍵を保存する復号鍵保存部２２２と、携帯端末２００でコンテンツを視聴した部分とマークした情報を記録、保存するコンテンツ使用情報保存部２２３とを有する。
【００２９】
ＰＣ端末３００は、通信インターフェイス３１０、メモリ３２０、ＣＰＵ３３０、外部インターフェイス３４０とを備えている。
【００３０】
メモリ３２０の中には、外部インターフェイス３４０と通信ケーブル５００を介して携帯端末２００から携帯番号４２０、シリアル番号４３０、携帯端末２００のコンテンツ保存部２２１にあるコンテンツＩＤ４４０を取得し、通信インターフェイス３１０とネットワーク４００を介してコンテンツ配信サーバ１００に送信する認証情報送信部３２１と、外部インターフェイス３４０と通信ケーブル５００を介して携帯端末２００のコンテンツ使用情報保存部２２３からコンテンツ使用情報７００を取得し、通信インターフェイス３１０とネットワーク４００を介してコンテンツ配信サーバ１００に送信する判定情報送信部３２２と、コンテンツ配信サーバ１００から送信されてきたコンテンツを受信して再生するコンテンツ受信部３２３と、外部インターフェイス３４０と携帯端末２００の外部インターフェイス２４０の接続状況を監視する接続監視部３２６とを有する。
【００３１】
コンテンツ受信部３２３には、コンテンツ配信サーバ１００から送られたコンテンツを一時保存する一時保存部３２５と、携帯端末２００の復号鍵保存部２２２から復号鍵を取得し、一時保存部３２５のコンテンツを復号化して再生する復号処理部３２４とを有する。
【００３２】
図２は、本発明の一実施例のコンテンツ配信方法を示すシーケンス図である。
【００３３】
携帯端末２００の外部インターフェイス２４０が通信ケーブル５００を介してＰＣ端末３００の外部インターフェイス３４０と接続し[S101]、ＰＣ端末３００のＣＰＵ３３０がメモリ３２０上の認証情報送信部３２１と接続監視部３２６を起動させ[S102]、認証情報送信部３２１が外部インターフェイス３４０と通信ケーブル５００を介して携帯端末２００にある携帯番号４２０、シリアル番号４３０及びコンテンツ保存部２２１に保存されているコンテンツのコンテンツＩＤ４４０のユーザ認証データを要求する[S103]。
【００３４】
携帯端末２００からユーザ認証データ(携帯番号４２０、シリアル番号４３０、コンテンツＩＤ４４０) [S104]が送信され、認証情報送信部３２１がその情報を通信インターフェイス３１０とネットワーク４００を介してコンテンツ配信サーバ１００に送信する[S105]。
【００３５】
コンテンツ配信サーバ１００のＣＰＵ１５０がメモリ１１０上の認証部１１１を実行し、携帯番号４２０、シリアル番号４３０、コンテンツＩＤ４４０のユーザ認証データとユーザ認証テーブル１７０の情報との照合を行い[S106]、一致しない場合、認証エラーメッセージをＰＣ端末３００に送信し[S107]、ＰＣ端末３００のＣＰＵ３３０が認証情報送信部３２１を異常終了させる[S108]。
【００３６】
一致する場合、コンテンツ配信サーバ１００のＣＰＵ１５０がメモリ１１０上のコンテンツ判定部１２０を実行し、図４に示すコンテンツ判定処理[S109]を行い、図６に示した判定結果リストをＰＣ端末３００に送信し[S110]、表示させ、ユーザの確認を取る。
【００３７】
ユーザ指示など[S111]によってＰＣ端末３００からコンテンツ要求メッセージ[S112]をコンテンツ配信サーバ１００の抽出処理部１３１に送信し、抽出処理部１３１がユーザに要求されたコンテンツを配信コンテンツ保存部１４０から抽出し[S113]、暗号処理部１３２によって暗号処理され、復号鍵を生成する[S114]。
【００３８】
配信処理[S115]では、配信処理部１３３がＣＰＵ１５０によって実行され、復号鍵をネットワーク４００と無線インターフェイス２１０を介して配信処理部１３３から携帯端末２００に送信し[S116]、携帯端末２００の復号鍵保存部２２２に保存され[S117]、暗号化されたコンテンツをネットワーク４００を介して配信処理部１３３からＰＣ端末３００に配信し[S118]、ＰＣ端末３００の一時保存部３２５に保存される[S119]。
【００３９】
ＰＣ端末３００では、ＣＰＵ３３０が復号処理部３２4を実行し[S120]、携帯端末２００の外部インターフェイス２４０と接続されている外部インターフェイス３４０を介して携帯端末２００に復号鍵の要求を出し[S121]、携帯端末２００にある復号鍵保存部２２２から復号鍵を取得し[S122]、一時保存部３２５にある暗号化されたコンテンツを復号化させ、コンテンツの使用を可能とする[S123]。
【００４０】
配信処理が正常終了する場合、コンテンツ配信サーバ１００の配信処理部１３３から配信正常終了メッセージをＰＣ端末３００に送信し[S124]、ＰＣ端末３００のＣＰＵ３３０は復号処理部３２４により復号鍵を削除すると同時に一時保存部３２５により保存されているコンテンツを削除し[S125]、コンテンツ受信部３２３を正常終了する[S126]。
【００４１】
図３は、本発明の一実施例のコンテンツ配信異常中断対応方法を示すシーケンス図である。
【００４２】
ＰＣ端末３００のＣＰＵ３３０は接続監視部３２６を実行させ[S201]、コンテンツ配信サーバ１００から配信している間に常に外部インターフェイス３４０と携帯端末２００の外部インターフェイス２４０の接続状況を監視し[S202]、その接続が切断されているかどうかを判断する[S203]。
【００４３】
切断されていない場合に継続的にコンテンツを受信し［Ｓ２０４］、切断された場合に直ちにコンテンツ配信サーバ１００にコンテンツ配信中止要求メッセージを送信する[S205]と同時に、復号処理部３２４から復号鍵を削除し、一時保存部３２５からコンテンツを削除する[S206]。
【００４４】
コンテンツ配信サーバ１００の配信処理部１３３がＰＣ端末３００からコンテンツ配信中止要求メッセージ[S205]を受け、配信中止制御を行い[S207]、ＰＣ端末３００にコンテンツ配信中止メッセージを送信し[S208]、コンテンツ配信を中止させる。
【００４５】
ＰＣ端末３００がコンテンツ配信中止メッセージを受信するとＰＣ端末３００のＣＰＵ３３０は接続監視部３２６を実行させ、復号鍵とコンテンツが削除されたことを確認し、異常終了する[S209]。
【００４６】
図４は、本発明の一実施例のコンテンツ判定方法を示すフローチャート図である。
【００４７】
コンテンツ配信サーバ１００のＣＰＵ１５０はコンテンツ判定部１２０を実行させ、コンテンツ判定部１２０の情報取得部１２１は、認証部１１１からコンテンツＩＤ４４０を取得し[S301]、ＰＣ端末３００の判定情報送信部３２２を利用し、携帯端末２００から図５に示すようなコンテンツ使用情報７００を取得する[S302]。
【００４８】
判定部１２２には、取得したコンテンツＩＤ４４０を配信コンテンツ保存部１４０の情報と比較し[S303]、携帯端末２００のコンテンツより高品質なコンテンツが存在しない場合、コンテンツ判定部１２０を終了させる。
【００４９】
存在する場合、コンテンツ使用情報７００のフラグ７０４が１か０かの判定を行い[S304]、コンテンツ使用情報７００のフラグ７０４が“０”の場合、[S303]で選んだコンテンツを判定結果リストに出力する。
【００５０】
コンテンツ使用情報７００のフラグ７０４が“１”の場合、コンテンツ使用情報７００の中からコンテンツ視聴開始時間７０２と終了時間７０３を抽出し[S305]、[S303]で選んだコンテンツに関する情報と合わせて判定結果リストに出力し、最後、図６に示したような判定結果リスト８００をＰＣ端末３００に表示させる[S306]。
【００５１】
図５は、本発明の一実施例のコンテンツ使用情報を示す構成図である。
【００５２】
コンテンツ使用情報７００には、コンテンツを識別するコンテンツＩＤ７０１と、マークされたコンテンツ開始時間を識別する開始時間７０２と、マークされたコンテンツ終了時間を識別する終了時間７０３と、マークされているかどうかを識別するフラグ７０４とを有する。
【００５３】
図６は、本発明の一実施例のコンテンツ判定結果リストを示す構成図である。
【００５４】
判定結果リスト８００には、コンテンツの種類を示す種類８０１と、タイトルを示すタイトル８０２と、マークされたコンテンツ配信開始時間を示す開始時間８０３と、マークされたコンテンツ配信終了時間を示す終了時間８０４とを有する。
【００５５】
図７は、本発明の一実施例のユーザ認証テーブルを示す構成図である。
【００５６】
ユーザ認証テーブル１７０には、顧客名４１０と、携帯番号４２０と、シリアル番号４３０と、コンテンツＩＤ４４０とを有する。
【図面の簡単な説明】
【００５７】
【図１】本発明の一実施例のコンテンツ配信システムを示す構成図である。
【図２】本発明の一実施例のコンテンツ配信方法を示すシーケンス図である。
【図３】本発明の一実施例のコンテンツ配信異常中断対応方法を示すシーケンス図である。
【図４】本発明の一実施例のコンテンツ判定方法を示すフローチャート図である。
【図５】本発明の一実施例のコンテンツ使用情報を示す構成図である。
【図６】本発明の一実施例のコンテンツ判定結果リストを示す構成図である。
【図７】本発明の一実施例のユーザ認証テーブルを示す構成図である。
【符号の説明】
【００５８】
１…コンテンツ配信システム、１００…コンテンツ配信サーバ、１１０…メモリ、１１１…認証部、１２０…コンテンツ判定部、１２１…情報取得部、１２３…結果表示部、１３０…コンテンツ配信部、１３１…抽出処理部、１３２…暗号処理部、１３３…配信処理部、１４０…配信コンテンツ保存部、１５０…ＣＰＵ、１６０…通信インターフェイス、１７０…ユーザ認証テーブル、２００…携帯端末、２１０…無線通信インターフェイス、２２０…メモリ、２２１…コンテンツ保存部、２２２…復号鍵保存部、２２３…コンテンツ使用情報保存部、２３０…ＣＰＵ、２４０…外部インターフェイス、３００…ＰＣ端末、３１０…通信インターフェイス、３２０…メモリ、３２１…認証情報送信部、３２２…判定情報送信部、３２３…コンテンツ受信部、３２４…復号処理部、３２５…一時保存部、３２６…接続監視部、３３０…ＣＰＵ、３４０…外部インターフェイス、４００…ネットワーク、５００…通信ケーブル。
【図１】
2009087108.tif 000003
【図２】
2009087108.tif 000004
【図３】
2009087108.tif 000005
【図４】
2009087108.tif 000006
【図５】
2009087108.tif 000007
【図６】
2009087108.tif 000008
【図７】
2009087108.tif 000009